(57)【特許請求の範囲】
【請求項１】
電話機用筐体を、上面に操作パネルやハンドセット載置部を有し、かつ底面が上辺側が高く、また下辺側が低くなるように傾斜された上部筐体本体と、上面が開口し、かつ開口部に前記上部筐体本体の底部が係脱自在に係合する係止手段を有する下部カバー体より構成すると共に、前記下部カバー体の両側辺を上辺側が高くかつ下辺側が低くなるように傾斜させて、電話機を卓上で使用する場合は、前記下部カバー体の上辺側が上側となるように前記上部筐体本体と前記下部カバー体とを係止し、壁に掛けて使用する場合は、前記下部カバー体の上辺と下辺を反転して前記上部筐体本体と前記下部カバー体を係止する卓上及び壁掛け兼用電話機の筐体構造であって、前記下部カバー体の底面に、前記下部カバー体を壁面に取付けるための取付け孔と、電話回線を引き込むための引き込み孔を開口し、前記下部カバー体内に、前記電話回線を接続する外部接続部と、前記上部筐体本体より延出されたフラットケーブルよりなるリード線を前記上部筐体本体側の接続部に対してほぼ直角となるように接続するコネクタとを収容することを特徴とする卓上及び壁掛け兼用電話機の筐体構造。
【発明の詳細な説明】
【０００１】
【発明の属する技術分野】
この発明は卓上及び壁掛け兼用電話機の筐体構造に関する。
【０００２】
【従来の技術】
従来電話機の多くは卓上に設置して使用されているが、中には壁に掛けても使用できる卓上及び壁掛け兼用電話機も実用化されている。
【０００３】
また電話機を壁に掛けて使用する場合、従来では専用の壁掛け金具を使用しており、種々の構造の壁掛け金具も提案されている。
【０００４】
例えば実開平３−２７１５１号公報では、電話機の筐体側に形成された複数の係合孔に係合する楔状爪部を有する壁掛け具が提案されており、実開平７−３１７２号公報では、筐体の裏面に設けられた溝に係合する鉤状爪を有する壁掛け具が提案されている。
【０００５】
【発明が解決しようとする課題】
しかし従来の卓上及び壁掛け兼用電話機では、壁に掛けて使用する場合、壁に予め専用の壁掛け金具を取付ける必要があり、取付け作業が面倒であると共に、専用の壁掛け金具が必要なため、電話機の価格が高くなるなどの不具合がある。
【０００６】
また従来の電話機では、電話機と壁内の配線を接続するのに別にケーブルを必要とするため、予めケーブルを用意する必要があると共に、電話機とケーブルの接続作業も面倒であるなどの不具合もあった。
【０００７】
この発明はかかる従来の不具合を改善するためになされたもので、壁掛け金具を必要とせずに簡単に壁に取付けられ、しかもケーブルの接続作業も容易な卓上及び壁掛け兼用電話機の筐体構造を提供することを目的とするものである。
【０００８】
【課題を解決するための手段】
この発明は上記目的を達成するため、電話機用筐体を、上面に操作パネルやハンドセット載置部を有し、かつ底面が上辺側が高く、また下辺側が低くなるように傾斜された上部筐体本体と、上面が開口し、かつ開口部に上部筐体本体の底部が係脱自在に係合する係止手段を有する下部カバー体より構成すると共に、下部カバー体の両側辺を上辺側が高くかつ下辺側が低くなるように傾斜させて、電話機を卓上で使用する場合は、下部カバー体の上辺側が上側となるように上部筐体本体と下部カバー体とを係止し、壁に掛けて使用する場合は、下部カバー体の上辺と下辺を反転して上部筐体本体と下部カバー体を係止することにより卓上及び壁掛け用に兼用できるようにし、下部カバー体の底面に、下部カバー体を壁面に取付けるための取付け孔と、電話回線を引き込むための引き込み孔を開口し、下部カバー体内に、電話回線を接続する外部接続部と、上部筐体本体より延出されたフラットケーブルよりなるリード線を上部筐体本体側の接続部に対してほぼ直角となるように接続するコネクタとを収容するようにしたもので、下部カバー体を予め壁面に取り付けることにより、壁掛け金具を使用せずに電話機を壁面に取り付けることができ、かつ電話回線との接続が容易で、上部筐体本体との接続用リード線が損傷を受けることがなくなる。
【０００９】
【発明の実施の形態】
この発明の請求項１記載の卓上及び壁掛け兼用電話機の筐体構造は、電話機用筐体を、上面に操作パネルやハンドセット載置部を有し、かつ底面が上辺側が高く、また下辺側が低くなるように傾斜された上部筐体本体と、上面が開口し、かつ開口部に上部筐体本体の底部が係脱自在に係合する係止手段を有する下部カバー体より構成すると共に、下部カバー体の両側辺を上辺側が高くかつ下辺側が低くなるように傾斜させて、電話機を卓上で使用する場合は、下部カバー体の上辺側が上側となるように上部筐体本体と下部カバー体とを係止し、壁に掛けて使用する場合は、下部カバー体の上辺と下辺を反転して上部筐体本体と下部カバー体を係止するようにし、下部カバー体の底面に、下部カバー体を壁面に取付けるための取付け孔と、電話回線を引き込むための引き込み孔を開口し、下部カバー体内に、電話回線を接続する外部接続部と、上部筐体本体より延出されたフラットケーブルよりなるリード線を上部筐体本体側の接続部に対してほぼ直角となるように接続するコネクタとを収容するようにしたものである。
【００１０】
上記構成により、取付け孔を利用して下部カバー体を固着具により壁面へ取付け、この下部カバー体の開口部に上部筐体本体の底面を係止することにより、壁掛け金具を使用せずに電話機を壁面に取付けることができるとともに、下部カバー体を壁面に取付けた状態で、引き込み孔より引き込んだ電話回線に接続することができ、フラットケーブルよりなるリード線とコネクタで上部筐体本体と接続するので、整然と配線ができる。しかも、コネクタがリード線の上部筐体本体側の接続部に対してほぼ直角となっているため、下部カバー体の上辺と下辺を反転しても、リード線の捩れが少なく、リード線が早期に損傷を受けることがない。
【００１９】
以下この発明の実施の形態を図面を参照して詳述する。
【００２０】
図１は卓上へ設置して使用する場合の分解斜視図、図２は同使用状態の平面図、図３は同側面図、図４は壁に掛けて使用する状態の分解斜視図、図５は同正面図、図６は同側面図である。
【００２１】
これら図において１は電話機用筐体で、上部筐体本体２と、下部カバー体３より構成されている。
【００２２】
上記上部筐体本体２は、上面に操作パネル４とハンドセット５の載置部６を有しており、操作パネル４には液晶表示部７と、機能キー８、テンキー９などが設けられている。
【００２３】
上記上部筐体本体２の底面は、卓上に電話機を設置した場合、上辺側が高く、かつ下辺側が低く傾斜するように、上辺側より下辺側へ順次傾斜する傾斜面となっており、底面の両側には、下部カバー体３に設けられた係止手段３ｂが係合する係合孔（図示せず）が例えば４個所開口されている。
【００２４】
上記下部カバー体３は、上面が開口した偏平な箱状に形成されていて、開口部３ａの各辺は、上記上部筐体本体２の底面の各辺よりやや小さく形成されており、この開口部３ａに上部筐体本体２の底面が載置できるようになっている。
【００２５】
上記下部カバー体３の両側辺は、電話機を卓上に設置して使用する際上辺となる側が高く、かつ下辺となる側が低くなるように予め傾斜されていると共に、両側面の傾斜角度は、下部カバー体３の上下辺を反転して、電話機を壁に掛けて使用する場合、上部筐体本体２上面の操作パネル４が壁面とほぼ平行となる角度に設定されている。
【００２６】
上記下部カバー体３の開口部３ａの両側には、側面に対しほぼ９０度外側へ屈曲された突起よりなる係止手段３ｂが、各辺に例えば２個づつ上下に離間して突設されており、これら係止手段３ｂに上記上部筐体本体２側の係止孔が下方より係止できるようになっている。
【００２７】
また上記下部カバー体３の底面には、図示しない電話回線を下部カバー体３内に引き込むための引き込み孔３ｃと、電話機を壁に掛けて使用する場合、ビスなどの固着具で下部カバー体３を壁面に取付けるための取付け孔３ｄが開口されていると共に、下部カバー体３の内底部には、上部筐体本体２より延出されたフラットケーブルよりなるリード線１０のコネクタ１０ａを接続するためのコネクタ１１が、リード線１０の上部筐体本体２側接続部に対し、ほぼ直角となるように取付けられている。
【００２８】
次に上記構成された卓上及び壁掛け兼用電話機の作用を説明すると、電話機を卓上に設置して使用する場合は、図１に示すように下部カバー体３の高さの高い上辺側が上となるように卓上に下部カバー体３を設置し、下部カバー体３と電話回線を接続する。
【００２９】
そしてこの状態で上部筐体本体２より延出されたリード線１０のコネクタ１０ａを、下部カバー体３内のコネクタ１１に接続したら、上部筐体本体２の上辺が上側となるように、上部筐体本体２底面の係止孔を下部カバー体３の各係止手段３ｂに係止して、下部カバー体３に対し上部筐体本体２を固定する。
【００３０】
これによって上部筐体本体２上面の操作パネル４は、図３に示すように上辺側が高く、下辺側が低くなるように傾斜するため、操作パネル４に設けられた各種キー８、９の操作が容易で、かつ液晶表示部７の表示も見やすくなる。
【００３１】
一方電話機を壁に掛けて使用する場合は、図４に示すように下部カバー体３を卓上使用時と上下辺が逆になるように反転し、この状態で下部カバー体３を取付け孔３ｄに挿入した固着具により壁面に取付ける。
【００３２】
下部カバー体３の取付けが完了したら、下部カバー体３の引き込み孔３ｃより電話回線を引き込んで所定の接続操作を行った後、上部筐体本体２より延出されたリード線１０のコネクタ１０ａを下部カバー体３側のコネクタ１１に接続するが、このとき卓上設置時と下部カバー体３の上下辺が逆になっていても、リード線１０をフラットケーブルとし、かつフラットケーブルの上部筐体本体２の接続部に対し、ほぼ直角となるようにコネクタ１１を下部カバー体３に取付けたことから、リード線１０の捩れが少なくできるため、リード線１０の捩れによる損傷を回避することができる。
【００３３】
上記のようにしてリード線１０の接続が完了したら、上部筐体本体２の底面の係止孔を下部カバー体３の係止手段３ｂに係止して、下部カバー体３に対して上部筐体本体２を固定するもので、このとき図６に示すように、上部筐体本体２上面の操作パネル４が壁面とほぼ平行になるので、電話機を壁に掛けた場合でも、操作パネル４の各種キー８、９の操作が容易で、かつ液晶表示部７の表示も見やすくなる。
【００３４】
また下部カバー体３を設けることによって、従来のような専用の壁掛け金具を使用せずに電話機を壁面に取付けることができる。
【００３５】
【発明の効果】
この発明は以上詳述したように、電話機用筐体を、上部筐体本体と下部カバー体とより構成し、かつ下部カバー体の上辺と下辺を反転するだけで、電話機を卓上に設置したり、壁に掛けて使用することができると共に、壁に掛けて使用する場合、予め下部カバー体を固着具などで壁面に取付けることにより、電話機を壁面に取付けることができるため、従来のような専用の壁掛け金具が不要となり、部品点数の削減により電話機の価格低減が図れるようになる。また下部カバー体を予め壁面に取付けた状態で電話回線との接続作業が行えるため、接続作業が短時間で容易に行えると共に、上部筐体本体側より延出されたリード線を下部カバー体側のコネクタに接続するだけで、電話機と電話回線の接続が完了するため、予め接続用のケーブルを用意する必要もない。
【００３６】
さらにリード線にフラットケーブルを使用し、かつリード線の上部筐体本体側の接続部に対し、ほぼ直角となるように下部カバー体内にコネクタを取付けたことにより、卓上で使用時と、壁に掛け使用時で下部カバー体の上下辺を反転した場合でも、リード線の捩れが少なくできるため、繰返し捩られてもケーブルが損傷されることが少ないと共に、コネクタによりリード線を接続するため、リード線が引っ張られたりしても、リード線の接続が外れたり、接触不良を起すなどの心配もほとんどない。
【図面の簡単な説明】
【図１】この発明の実施の形態になる卓上及び壁掛け兼用電話機を卓上に設置する場合の筐体構造を示す分解斜視図である。
【図２】この発明の実施の形態になる卓上及び壁掛け兼用電話機を卓上に設置する場合の筐体構造を示す平面図である。
【図３】この発明の実施の形態になる卓上及び壁掛け兼用電話機を卓上に設置する場合の筐体構造を示す側面図である。
【図４】この発明の実施の形態になる卓上及び壁掛け兼用電話機を壁に掛けて使用する場合の筐体構造の分解斜視図である。
【図５】この発明の実施の形態になる卓上及び壁掛け兼用電話機を壁に掛けて使用する場合の筐体構造の正面図である。
【図６】この発明の実施の形態になる卓上及び壁掛け兼用電話機を壁に掛けて使用する場合の筐体構造の側面図である。
【符号の説明】
１      電話機用筐体
２      上部筐体本体
３      下部カバー体
３ａ    開口部
３ｂ    係止突起
３ｃ    引き込み孔
３ｄ    取付け孔
４      操作パネル
５      ハンドセット
６      ハンドセット載置部
７      液晶表示部
８      機能キー
９      テンキー
１０    リード線
１０ａ  コネクタ
１１    コネクタ
【図１】
0003913893.tif 000002
【図２】
0003913893.tif 000003
【図３】
0003913893.tif 000004
【図４】
0003913893.tif 000005
【図５】
0003913893.tif 000006
【図６】
0003913893.tif 000007